(57)【要約】【課題】エステティックの施術の効果、取り分け、デコルテ部分に対する施術の効果を評価する方法を提供する。【解決手段】施術前後に於ける、目の周囲の体液循環の状態の変化を指標とし、エステティックの施術の効果を評価する。本発明の評価法は、エステティックの施術のくま、くすみ、たるみ、むくみ、フェイスラインの形状変化等の改善の評価に好ましい。この様な効果は目の周囲の体液循環の状態の変化として表示することが好ましい。前記表示としては、施術前後の皮膚表面の体温変化の表示及び／又は施術前後の血液のヘモグロビンの酸素飽和度及び／又はヘモグロビン酸素飽和インデックスの変化の表示や施術前後のサーモグフィーの比較図による表示が好ましく例示できる。【選択図】  なし【特許請求の範囲】
【請求項１】
エステティックの被施術者の施術前後に於ける、目の周囲の体液循環の状態の変化を指標とすることを特徴とする、エステティックの施術の効果の評価法。
【請求項２】
前記目の周囲の体液循環の状態の変化が、エステティックの被施術者の目の周囲の血液中の酸素の状態の変化であることを特徴とする、請求項１に記載のエステティックの施術の効果の評価法。
【請求項３】
前記目の周囲の体液循環の状態の変化が、エステティックの被施術者の目の周囲の血流状態の変化、血液の酸素飽和度の変化、及び血液の酸素飽和インデックスの変化から選ばれる一種乃至は二種以上であることを特徴とする、請求項１又は２に記載のエステティックの施術の効果の評価法。
【請求項４】
前記目の周囲の体液循環の状態が、さらに、エステティックの被施術者の目の周囲の皮膚表面の体温を含む、請求項２又は３に記載のエステティックの施術の効果の評価法。
【請求項５】
エステティックの施術がデコルテへの施術であることを特徴とする、請求項１〜４の何れか１項に記載のエステティックの施術の効果の評価法。
【請求項６】
デコルテの施術部位が、鎖骨下、僧帽筋及び胸鎖乳突筋から選択される１、２乃至は３であることを特徴とする、請求項５に記載のエステティックの施術の効果の評価法。
【請求項７】
デコルテへの施術の目的が、静脈血、リンパ液、及び組織液から選ばれる一種乃至は二種以上の滞留改善であることを特徴とする、請求項５又は６に記載のエステティックの施術の効果の評価法。
【請求項８】
エステティックの施術効果が、くま、くすみ、たるみ、むくみ及びフェイスラインの形状の改善から選ばれる、一種乃至は二種以上であることを特徴とする、請求項１〜７の何れか１項に記載のエステティックの施術の効果の評価法。
【発明の詳細な説明】
【技術分野】
【０００１】
本発明は、エステティックの施術の効果の評価法、エステティックの効果の表示法及びエステティックの説明用の資料に関する。
【背景技術】
【０００２】
エステティックは、生体のホメオスタシスを整える目的で古くより行われており、その効果については、多くの人に認められている。現代においては、代替医療の一つに挙げられることもあり、その認知度は高まると同時に、これからエステティックが、健康の維持に果たして行くであろう役割について、大きな期待も寄せられていると言える。特に、老化制御を対象とした、顔を効果発現の対象とする分野においては、この様な期待は、他の部位に比べてより大きなものであるといえる。しかしながら、エステティックの効果については、認知がされているにもかかわらず、実証は殆ど無く、実際科学的にエステティックが生体にどの様な作用を及ぼしているかについては、客観的証明はあまり無いと言える。従って、エステティックの施術について、その施術方法が適切であるか、不適切であるか、或いは、良い方法であるか、あまり良くない方法であるか、評価する手だては存在しなかったと言える。特に、胸部上部から首にかけての、所謂デコルテと呼ばれている部分に、エステティックの施術を行うことが、顔に対して好ましい作用を及ぼすことは経験的に知られており、実際の施術でも為されているが、この様な実際の効果発現場から離れた箇所に為される施術が、実際にどの様な効果を及ぼしているかについては、全く知られていなかった。即ち、エステティックの施術の効果、取り分け、デコルテ部分に対する施術の効果を評価する方法の開発が望まれていた。
【０００３】
一方、施術前後に於ける、目の周囲の体液循環の状態の変化を指標とすることを特徴とする、エステティックの施術の効果の評価法、目の周囲の体液循環の状態の変化の表示を含むことを特徴とする、エステティックの施術の効果の表示及び前記エステティックの施術の効果の表示を構成要件とする、エステティックの説明用の資料については、全く知られていない。
【発明の開示】
【発明が解決しようとする課題】
【０００４】
本発明は、この様な状況下為されたものであり、エステティックの施術の効果、取り分け、デコルテ部分に対する施術の効果を評価する方法を提供することを課題とする。
【課題を解決するための手段】
【０００５】
この様な状況に鑑みて、本発明者らは、エステティックの施術の効果、取り分け、デコルテ部分に対する施術の効果を評価する方法を求めて、鋭意研究努力を重ねた結果、施術前後に於ける、目の周囲の体液循環の状態の変化を指標とすることにより、この様な評価が為しうることを見出し、発明を完成させるに至った。更に、それらの表示を提示することにより、被施術者にエステティックの施術の効果を正確に理解させ、以て、エステティックの施術の効果そのものを高めることを見出し、発明を発展させた。即ち、本発明は、以下に示す技術に関するものである。本発明で言うエステティックとは、被施術者と同一でない施術者が、手指などによって擦過、ツボ押しなどの行為を行うことを意味し、この時、摩擦係数を下げたり、温感を付与したりするための手段、例えば、マッサージ化粧料、温感付与化粧料、スチームなどが存在することも可能である。
（１）施術前後に於ける、目の周囲の体液循環の状態の変化を指標とすることを特徴とする、エステティックの施術の効果の評価法。
（２）目の周囲の体液循環の状態の変化の表示が、目の周囲の体液循環の状態の変化が、
皮膚表面の体温変化及び／又は血液の酸素の状態を示す変化であることを特徴とする、（１）に記載のエステティックの施術の効果の評価法。
（３）体液循環の状態の変化が、皮膚表面の体温変化、血流状態の変化、目の周囲の部位に於ける、血液の酸素飽和度の変化、及び血液の酸素飽和インデックスの変化から選ばれる一種乃至は２種以上であることを特徴とする、（１）又は（２）に記載のエステティックの施術の効果の評価法。
（４）エステティックの施術がデコルテへの施術であることを特徴とする、（１）〜（３）何れか１項に記載のエステティックの施術の効果の評価法。
（５）デコルテの施術部位が、鎖骨下、僧帽筋及び胸鎖乳突筋から選択される１、２乃至は３であることを特徴とする、（４）に記載のエステティックの施術の効果の評価法。
（６）デコルテへの施術の目的が、静脈血、リンパ液、及び組織液から選ばれる一種乃至は二種以上の滞留改善であることを特徴とする、（４）又は（５）に記載のエステティックの施術の効果の評価法。
（７）エステティックの施術効果が、くま、くすみ、たるみ、むくみ、フェイスラインの形状変化等の中から選ばれる、一種乃至は二種以上であることを特徴とする、（１）〜（６）何れか１項に記載のエステティックの施術の効果の評価法。
（８）目の周囲の体液循環の状態の変化の表示を含むことを特徴とする、エステティックの施術の効果の表示。
（９）目の周囲の体液循環の変化の表示が、施術前後の皮膚表面の体温変化及び／又は血液の酸素の状態であることを特徴とする、（８）に記載のエステティックの施術の効果の表示。
（１０）目の周囲の体液循環の状態の変化の表示が、施術前後の皮膚表面の体温変化の表示及び／又は施術前後の血液のヘモグロビンの酸素飽和度及び／又はヘモグロビン酸素飽和インデックスの変化の表示であることを特徴とする、（８）又は（９）に記載のエステティックの施術の効果の表示。
（１１）施術前後の皮膚表面の体温変化の表示が、施術前後のサーモグフィーの比較図であることを特徴とする、（９）又は（１０）に記載のエステティックの施術の効果の表示。
（１２）施術前後の血液の酸素飽和度の変化の表示が、棒グラフによる施術前後の酸素飽和度もしくはヘモグロビン酸素飽和インデックスの比較図であることを特徴とする、（１０）に記載のエステティックの施術の効果の表示。
（１３）（８）〜（１２）何れか１項に記載のエステティックの施術の効果の表示を構成要件とする、エステティックの説明用の資料。
【発明の効果】
【０００６】
本発明によれば、エステティックの施術の効果、取り分け、デコルテ部分に対する施術の効果を評価する方法を提供することができる。
【発明を実施するための最良の形態】
【０００７】
本発明のエステティックの施術の効果の評価法は、施術前後に於ける、目の周囲の体液循環の状態の変化を指標とすることを特徴とする。かかる体液循環の状態の変化としては、かかる部位に於ける血流量の変化、血流量の変化に付随して起こる皮膚温の変化、更に滞留血量が変化して起こる、ヘモグロビンの変化などが好ましく例示できる。かかる測定は、通常知られている手段によって為される。例えば、血流量の変化であればレーザー・ドップラー型の血流量測定装置で測定することが出来るし、皮膚温の変化はサーモグラフィーを使用することにより測定できるし、血中ヘモグロビン酸素飽和度及びヘモグロビン酸素飽和インデックスであれば分光光度計４００〜７００ｎｍの反射率よりＦｅａｔｈｅｒの式より算出することが出来る。
【０００８】
前記体液循環の状態の変化を測定する場所としては、目の周囲が好ましく例示できる。こ
れは、デコルテへのエステティック施術を行った結果、最も変化の大きい場所を探すとこの部位になることより、判明した。又、この様な変化は、エステティックの施術の技術の良し悪しとも良く相関していた。これは、この様な施術により、頸動静脈及び鎖骨下リンパ節や上深頸リンパ節、浅頸リンパ節等を刺激し、血液やリンパ液と言った体液の顔に於ける循環を改善し、血液やリンパなどの体液の滞留を改善するからであると思われる。この様な体液循環の改善により、顔に於けるムクミが改善され、すっきりとしたフェースラインに戻すことが出来るし、くすみやくまを改善することができる。特に、この様な施術で著しい体液改善効果を奏するのは、鎖骨下、僧帽筋又は胸鎖乳突筋への施術である。この事実も、デコルテへの施術が、頸動静脈及び鎖骨下リンパ節や上深頸リンパ節、浅頸リンパ節等を刺激し、血液やリンパ液と言った体液の顔の於ける循環を改善していることの一つの裏付けであるといえる。
【０００９】
従って、本発明のエステティックの施術の効果の評価法においては、施術の前後に体液の循環状態をそれぞれ測定し、その変化、言い換えれば、エステティックの施術によって、どの程度、目の周囲の体液循環の状態が改善したかを測定し、改善の程度によって、改善の程度が大きければ良い施術の効果が得られたと評価し、小さければ施術の効果はあまり無かったと評価する。このことを、体液の循環の状態の代表値である、目の周りの皮膚表面体温の変化で見れば、施術による体温上昇が高ければ高いほど良いエステティックの施術の効果が得られたと評価できる。又、代表値を血液の酸素状態にすれば、この様な状態を表す数値としては、例えば、ヘモグロビンの酸素飽和度、ヘモグロビンの酸素の結合度、血中酸素量、血中酸素分圧、ヘモグロビンの酸素の結合の有無によって変わる吸光度の変化などが具体的に挙げられ、測定の容易さと概念の理解のしやすさから、ヘモグロビンの酸素飽和度を用いることが好ましい。このヘモグロビンの酸素飽和度を代表値として用いるならば、体液循環が改善されればされる程、ヘモグロビン酸素飽和度は高まるので、ヘモグロビン酸素飽和度が高い程、施術は良かったと評価できる。
【００１０】
この様な、施術の効果を、目に見える形で表示することは、今まで、その効果が実感できなかったエステティックの施術の効果を、施術者にも、被施術者にも実感させることが出来る。これにより、施術による効果への信頼が高まり、それによって更に施術の効果が増強される。ここで、かかる目に見える形での表示の形態としては、表面温度の変化であれば、例えば、図２に示すように、施術前後のサーモグラフィー像を並べて示すことが好ましく例示できるし、ヘモグロビンの酸素飽和度や血流量の変化であれば、施術前後の値を棒グラフ乃至は折れ線グラフの様な形で示すことが好ましく例示できる。
【００１１】
又、この様なエステティックの施術の効果を目に見える形で表示したものを、構成要件として、エステティックの説明用の資料に載せることにより、説明を受けるものに、その効果を的確に認識せしめ、被施術者であれば、適切な期待を持つことにより、その効果を増強させ、施術者であれば、施術のポイントをその効果より適切に認識することが出来る。更に、エステティックの施術の教本などに、この様な表示を載せることにより、自分の行った施術の効果との比較を行うことも出来る。これは、この様な表示により、施術の効果とかかる効果を得るためのポイントが、明確に理解できるようになるためである。
【００１２】
以下に、実施例を挙げて、本発明について更に詳細に説明を加えるが、本発明が、かかる実施例にのみ限定されないことは言うまでもない。
【実施例１】
【００１３】
女性ボランティアパネラーを用いて、デコルテへのエステティック施術の効果を確かめた。効果の確認はサーモグラフィーにより行った。以下に簡単に実験の手順を示す。又、施術の手順は図１に示す。この測定結果を、施術前後の図２に示す。この図より、目の周囲の温度が上昇していることがわかる。即ち、図１に示すデコルテへの施術によって、目の
周囲の血行が促進され、皮膚表面の温度が上昇していることがわかる。
（測定の手技）
測定条件：室温２５〜２６℃、湿度５０〜６０％
測定機器：サーモグラフィー→  Ａｖｉｏ  Ｔｈｅｒｍａｌ  Ｖｉｄｅｏ  Ｓｙｓｔｅｍ
ＴＶＳ−８０００
測定フロー：洗顔後１５分間安静  →  計測  →  施術  →  計測
サーモグラフィーの測定
計測目的、部位
・施術の効果測定の一貫として、皮膚温変化より血流状態の変化を類推することを目的に測定を行った。
・計測部分としては、首から上の頭部、目元とした。
解析方法
・サーモ画像の温度設定を２６−３６℃、及び２℃幅（温度値は各自異なる）とし、画像の色変化で血行促進状況を判断した
・主な観察部位は眼窩部、眉間、前頭部、鼻部、頬部、頚部とした。
【実施例２】
【００１４】
実施例１と同様の手技で、デコルテへの施術の７の構成手技を１つずつ除いて、効果への影響を確かめた。効果は実施例１と同程度の効果を○、実施例１の効果よりやや低いが明確に効果が認められるものを△、効果が明確でないものを×とした。又、エステティックの効果についても、被施術者にアンケートで確認した。選択肢は気持ちが良く効果があるを○、やや効果が感じられるを△、効果が感じられないを×とした。結果を表１に示す。これより、実施例１の効果に関わる構成施術は、鎖骨下、僧帽筋及び胸鎖乳突筋への施術であることがわかる。又、目の周りの温度上昇が施術の心地よさとも相関していることがわかる。これにより、目の周囲の体液循環の変化を指標にエステティックの効果を、取り分け、デコルテ部へのエステティック施術の効果を評価できることもわかる。
【００１５】
【表１】
2008086781.tif 000002
【実施例３】
【００１６】
実施例１、２と同様に図１に示す構成施術のうち、鎖骨下、僧帽筋及び胸鎖乳突筋への施術を除いたデコルテへの施術を行い、皮膚温の上昇への影響を調べたが、殆ど効果は認められなかった。従って、顔の血流量増大のためには、取り分け、目の周りの血流量増大の為には必須であることがわかる。
【実施例４】
【００１７】
実施例１と同様にデコルテへの施術を行い、効果を目の周囲のヘモグロビン酸素飽和度およびヘモグロビン酸素飽和インデックスとして求めた。ヘモグロビン酸素飽和度は、分光光度計を用いて、下記に示す手順に従って求めた。結果を図３、４に示す。この図より、
温度上昇が見られた部分において、ヘモグロビン酸素飽和度も上昇していることがわかる。即ち、デコルテへのエステティックの施術により、血液或いはリンパ液の滞留が改善されていることがわかる。又、レーザードップラー型血流量測定装置で測定した結果も図５に示す。これでも同様の傾向が見られる。
測定条件：室温２５〜２６℃、湿度５０〜６０％
測定機器：分光光度計  →ミノルタ社製  ＣＭ２００２
測定フロー：洗顔後１５分間安静  →  計測  →  施術  →  計測
計測部位
・計測部位は内眼角化部を測定部位とした。
測定条件
・２度視野、Ｃ光源の条件で行った。
・ＣＭ２００２分光光度計を用いて、対象部位を３回測定し、その平均値を用いた。
解析方法
ＣＭ２００２から得られた４００〜７００ｎｍの反射率をミノルタ社製ソフト  彩チエックを用いて吸光度を算出し、Ｆｅａｔｈｅｒの式２）にあてはめ、ヘモグロビン酸素飽和インデックス及びヘモグロビン酸素飽和度を算出した。本公式を下記に示すと
Ｈ＝［（Ｌ５４４−Ｌ５２７．５）／１６．５−（Ｌ５７３−Ｌ５４４）／２９］１００ＯＸ＝［（Ｌ５７３−Ｌ５５８．５）−（Ｌ５５８．５−Ｌ５４４）］１００／１４．５Ｈ
ＳａＯ２（酸素飽和度％）＝（ＯＸ＋０．８２１）１００／１．９７
但し、Ｌｘ：吸光度、Ｈ：ヘモグロビンインデックス、ＯＸ：ヘモグロビン酸素飽和インデックスとする。
【実施例５】
【００１８】
実施例１、４で得られた結果の提示効果をパネラー４０名を用いて調べた。パネラーは１群１０名で４群に群分けし、次に示す４種の説明シートを用意し、１群には、１のシートでエステティックの事前説明を、１群には２のシートでエステティックの事前説明を、１群には３のシートでエステティックの事前説明を、残る１群には４のシートでエステティックの事前説明を行った。ヘモグロビン酸素飽和度の上昇率を次の式から算出し、群ごとの平均値を求めた。結果を表２に示す。これより、実施例１或いは４の様な目の周囲に於ける体液循環の状態の変化の表示を提示することにより、エステティックの施術の効果を高めることが出来ることがわかる。又、表示としては、サーモグラフィーとヘモグロビン酸素飽和度の上昇の両方を提示することが好ましいこともわかる。これらのシートの内、シート１〜３を図６〜８に示す。
（施術後のヘモグロビン酸素飽和度−施術前のヘモグロビン酸素飽和度）／（施術前のヘモグロビン酸素飽和度）＊１００
シート１：施術前後のサーモグラフィーを掲載
シート２：施術前後のヘモグロビン酸素飽和度のグラフを掲載
シート３：施術前後のサーモグラフィーとヘモグロビン酸素飽和度のグラフを掲載
シート４：「デコルテ部への施術により、血流やリンパ液・組織液の循環が改善され、目の周囲の温度が上昇し、ヘモグロビンの酸素飽和度も上昇します。」との記載を掲載
【００１９】
【表２】
2008086781.tif 000003
【図面の簡単な説明】
【００２０】
【図１】施術の手順を示す図である。
【図２】施術前後のサーモグラフィーを示す図（中間調画像）である。
【図３】ヘモグロビン酸素飽和度の変化を表す図である。
【図４】ヘモグロビン酸素飽和インデックスの変化を示す図である。
【図５】血流量の変化を示す図である。
【図６】実施例５のシート１を示す図である。
【図７】実施例５のシート２を示す図である。
【図８】実施例５のシート３を示す図である。
【図１】
2008086781.tif 000004
【図２】
2008086781.tif 000005
【図３】
2008086781.tif 000006
【図４】
2008086781.tif 000007
【図５】
2008086781.tif 000008
【図６】
2008086781.tif 000009
【図７】
2008086781.tif 000010
【図８】
2008086781.tif 000011